(57)【特許請求の範囲】
【請求項１】
ユーザが装着可能なウェアラブルカメラと、前記ユーザが乗車する車両に搭載された車載レコーダと、前記車両に搭載された車載カメラと、を備えるウェアラブルカメラシステムであって、
前記車載カメラは、
映像を撮像する第１の撮像部を備え、
前記車載レコーダは、
前記ウェアラブルカメラシステムの動作モードに基づいて、複数のウェアラブルカメラから、映像データの録画を連携するための通信相手としての特定のウェアラブルカメラを導出する第１の導出部と、
前記特定のウェアラブルカメラとの間で通信する第１の通信部と、
前記車載カメラにより撮像された第１の映像データを録画する第１の録画部と、
を備え、
前記ウェアラブルカメラは、
映像を撮像する第２の撮像部と、
通信相手としての車載レコーダとの間で通信する第２の通信部と、
前記第２の撮像部により撮像された第２の映像データを録画する第２の録画部と、
を備えるウェアラブルカメラシステム。
【請求項２】
請求項１に記載のウェアラブルカメラシステムであって、
前記動作モードとして、前記ユーザの識別情報が前記車載レコーダに保持される第１の動作モードが設定されている場合、
前記車載レコーダは、
前記ウェアラブルカメラから前記ユーザの識別情報を受信し、
前記ウェアラブルカメラから受信された前記ユーザの識別情報と、前記車載レコーダに保持された前記ユーザの識別情報と、が一致する場合、前記一致するユーザの識別情報を保持するウェアラブルカメラを、前記特定のウェアラブルカメラとして導出する、ウェアラブルカメラシステム。
【請求項３】
請求項１に記載のウェアラブルカメラシステムであって、
前記動作モードとして、前記車両の識別情報が前記車載レコーダに保持される第２の動作モードが設定されている場合、
前記車載レコーダは、
前記ウェアラブルカメラから前記車両の識別情報を受信し、
前記ウェアラブルカメラから受信された前記車両の識別情報と、前記車載レコーダに保持された前記車両の識別情報と、が一致する場合、前記一致する車両の識別情報を保持するウェアラブルカメラを、前記特定のウェアラブルカメラとして導出する、ウェアラブルカメラシステム。
【請求項４】
請求項１ないし３のいずれか１項に記載のウェアラブルカメラシステムであって、
前記車載レコーダは、前記第１の映像データの録画を開始し、前記録画を開始した旨を含む録画開始情報を、前記特定のウェアラブルカメラへ送信し、
前記特定のウェアラブルカメラは、前記録画開始情報を受信した後に、前記第２の映像データの録画を開始する、ウェアラブルカメラシステム。
【請求項５】
ユーザが装着可能なウェアラブルカメラと、前記ユーザが乗車する車両に搭載される車載レコーダと、前記車両に搭載された車載カメラと、を備えるウェアラブルカメラシステムであって、
前記車載カメラは、
映像を撮像する第１の撮像部を備え、
前記車載レコーダは、
前記ウェアラブルカメラとの間で通信する第１の通信部と、
前記車載カメラにより撮像された第１の映像データを録画する第１の録画部と、
を備え、
前記ウェアラブルカメラは、
映像を撮像する第２の撮像部と、
前記ウェアラブルカメラシステムの動作モードに基づいて、複数の車載レコーダから、映像データの録画を連携するための通信相手としての特定の車載レコーダを導出する第２の導出部と、
前記特定の車載レコーダとの間で通信する第２の通信部と、
前記第２の撮像部により撮像された第２の映像データを録画する第２の録画部と、
を備え、
前記動作モードとして、前記車両の識別情報が前記ウェアラブルカメラに保持される第３の動作モードが設定されている場合、
前記ウェアラブルカメラは、
前記車載レコーダから前記車両の識別情報を受信し、
前記車載レコーダから受信された前記車両の識別情報と、前記ウェアラブルカメラに保持された前記車両の識別情報と、が一致する場合、前記一致する車両の識別情報を保持する車載レコーダを、前記特定の車載レコーダとして導出する、ウェアラブルカメラシステム。
【請求項６】
請求項５に記載のウェアラブルカメラシステムであって、
前記ウェアラブルカメラは、前記第２の映像データの録画を開始し、前記録画を開始した旨を含む録画開始情報を、前記特定の車載レコーダへ送信し、
前記特定の車載レコーダは、前記録画開始情報を受信した後に、前記第１の映像データの録画を開始する、ウェアラブルカメラシステム。
【請求項７】
ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、
前記車載カメラにより映像を撮像するステップと、
前記ウェアラブルカメラにより映像を撮像するステップと、
前記車載レコーダにより、前記ウェアラブルカメラシステムの動作モードに基づいて、複数のウェアラブルカメラから、映像データの録画を連携するための通信相手としての特定のウェアラブルカメラを導出するステップと、
前記車載レコーダにより、前記車載カメラにより撮像された第１の映像データの録画を開始するステップと、
前記車載レコーダにより、前記録画を開始した旨を含む録画開始情報を、前記特定のウェアラブルカメラへ送信するステップと、
前記特定のウェアラブルカメラにより、前記録画開始情報を受信した後に、前記特定のウェアラブルカメラにより撮像された第２の映像データの録画を開始するステップと、
を備える録画制御方法。
【請求項８】
ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、
前記車載カメラにより映像を撮像するステップと、
前記ウェアラブルカメラにより映像を撮像するステップと、
前記ウェアラブルカメラにより、前記ウェアラブルカメラシステムの動作モードに基づいて、複数の車載レコーダから、映像データの録画を連携するための通信相手としての特定の車載レコーダを導出する導出ステップと、
前記ウェアラブルカメラにより、前記ウェアラブルカメラにより撮像された第２の映像データの録画を開始するステップと、
前記ウェアラブルカメラにより、前記録画を開始した旨を含む録画開始情報を、前記特定の車載レコーダへ送信するステップと、
前記特定の車載レコーダにより、前記録画開始情報を受信した後に、前記車載カメラにより撮像された第１の映像データの録画を開始するステップと、
を備え、
前記導出ステップでは、前記動作モードとして、前記車両の識別情報が前記ウェアラブルカメラに保持される第３の動作モードが設定されている場合、
前記ウェアラブルカメラは、
前記車載レコーダから前記車両の識別情報を受信し、
前記車載レコーダから受信された前記車両の識別情報と、前記ウェアラブルカメラに保持された前記車両の識別情報と、が一致する場合、前記一致する車両の識別情報を保持する車載レコーダを、前記特定の車載レコーダとして導出する、録画制御方法。
【発明の詳細な説明】
【技術分野】
【０００１】
本発明は、ウェアラブルカメラシステム及び録画制御方法に関する。例えば、人の体又は着用した衣服等に装着可能な撮像装置を有するウェアラブルカメラシステム及び録画制御方法に関する。
【背景技術】
【０００２】
近年、例えば警察官や警備員の業務を支援するために、警察官や警備員に装着されて使用されるウェアラブルカメラの導入が検討されている。
【０００３】
ウェアラブルカメラを用いた従来例として、例えば特許文献１に記載されたウェアラブル監視カメラシステムがある。このウェアラブル監視カメラシステムは、身体に装着するＣＣＤカメラ手段及びマイク手段からの映像信号及び音声信号、並びに内蔵のクロック手段からの日時情報信号を、体に装着するポーチ手段に収納するエンコードサーバー手段によりエンコードし、また文字情報に変換した日時情報を撮像した映像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
特許文献１のシステムでは、例えばウェアラブルカメラを警察官や警備員が装着して使用する場合、警察官や警備員が録画ボタンを押下することで、映像データ（映像信号）の録画を開始することが想定される。
【０００６】
しかし、警察官や警備員が緊急対応する際には、録画開始操作をすることができない可能性があり、後の事件検証のために重要なシーンが録画されない状態（録画漏れ）が起こり得る。また、録画開始操作をすることに気をとられることで、警察官や警備員の注意力が低下する可能性がある。また、パトカー等に車載カメラが搭載され、録画可能である場合においても、同様に、録画開始操作をすることができず、録画漏れが起こり得る。
【０００７】
本発明は、上記事情に鑑みてなされたものであり、ウェアラブルカメラや車載カメラにより撮像した映像データを取扱う上での利便性を向上でき、映像データの録画漏れを低減できるウェアラブルカメラシステム及び録画制御方法を提供する。
【課題を解決するための手段】
【０００８】
本発明のウェアラブルカメラシステムは、ユーザが装着可能なウェアラブルカメラと、前記ユーザが乗車する車両に搭載された車載レコーダと、前記車両に搭載された車載カメラと、を備えるウェアラブルカメラシステムであって、前記車載カメラは、映像を撮像する第１の撮像部を備え、前記車載レコーダは、前記ウェアラブルカメラシステムの動作モードに基づいて、複数のウェアラブルカメラから、映像データの録画を連携するための通信相手としての特定のウェアラブルカメラを導出する第１の導出部と、前記特定のウェアラブルカメラとの間で通信する第１の通信部と、前記車載カメラにより撮像された第１の映像データを録画する第１の録画部と、を備え、前記ウェアラブルカメラは、映像を撮像する第２の撮像部と、通信相手としての車載レコーダとの間で通信する第２の通信部と、前記第２の撮像部により撮像された第２の映像データを録画する第２の録画部と、を備える。
【０００９】
本発明のウェアラブルカメラシステムは、ユーザが装着可能なウェアラブルカメラと、前記ユーザが乗車する車両に搭載される車載レコーダと、前記車両に搭載された車載カメラと、を備えるウェアラブルカメラシステムであって、前記車載カメラは、映像を撮像する第１の撮像部を備え、前記車載レコーダは、前記ウェアラブルカメラとの間で通信する第１の通信部と、前記車載カメラにより撮像された第１の映像データを録画する第１の録画部と、を備え、前記ウェアラブルカメラは、映像を撮像する第２の撮像部と、前記ウェアラブルカメラシステムの動作モードに基づいて、複数の車載レコーダから、映像データの録画を連携するための通信相手としての特定の車載レコーダを導出する第２の導出部と、前記特定の車載レコーダとの間で通信する第２の通信部と、前記第２の撮像部により撮像された第２の映像データを録画する第２の録画部と、を備え、前記動作モードとして、前記車両の識別情報が前記ウェアラブルカメラに保持される第３の動作モードが設定されている場合、前記ウェアラブルカメラは、前記車載レコーダから前記車両の識別情報を受信し、前記車載レコーダから受信された前記車両の識別情報と、前記ウェアラブルカメラに保持された前記車両の識別情報と、が一致する場合、前記一致する車両の識別情報を保持する車載レコーダを、前記特定の車載レコーダとして導出する。
【００１０】
本発明の録画制御方法は、ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、前記車載カメラにより映像を撮像するステップと、前記ウェアラブルカメラにより映像を撮像するステップと、前記車載レコーダにより、前記ウェアラブルカメラシステムの動作モードに基づいて、複数のウェアラブルカメラから、映像データの録画を連携するための通信相手としての特定のウェアラブルカメラを導出するステップと、前記車載レコーダにより、前記車載カメラにより撮像された第１の映像データの録画を開始するステップと、前記車載レコーダにより、前記録画を開始した旨を含む録画開始情報を、前記特定のウェアラブルカメラへ送信するステップと、前記特定のウェアラブルカメラにより、前記録画開始情報を受信した後に、前記特定のウェアラブルカメラにより撮像された第２の映像データの録画を開始するステップと、を備える。
【００１１】
本発明の録画制御方法は、ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、前記車載カメラにより映像を撮像するステップと、前記ウェアラブルカメラにより映像を撮像するステップと、前記ウェアラブルカメラにより、前記ウェアラブルカメラシステムの動作モードに基づいて、複数の車載レコーダから、映像データの録画を連携するための通信相手としての特定の車載レコーダを導出する導出ステップと、前記ウェアラブルカメラにより、前記ウェアラブルカメラにより撮像された第２の映像データの録画を開始するステップと、前記ウェアラブルカメラにより、前記録画を開始した旨を含む録画開始情報を、前記特定の車載レコーダへ送信するステップと、前記特定の車載レコーダにより、前記録画開始情報を受信した後に、前記車載カメラにより撮像された第１の映像データの録画を開始するステップと、を備え、前記導出ステップでは、前記動作モードとして、前記車両の識別情報が前記ウェアラブルカメラに保持される第３の動作モードが設定されている場合、前記ウェアラブルカメラは、前記車載レコーダから前記車両の識別情報を受信し、前記車載レコーダから受信された前記車両の識別情報と、前記ウェアラブルカメラに保持された前記車両の識別情報と、が一致する場合、前記一致する車両の識別情報を保持する車載レコーダを、前記特定の車載レコーダとして導出する。
【発明の効果】
【００１２】
本発明によれば、ウェアラブルカメラや車載カメラにより撮像した映像データを取扱う上での利便性を向上でき、映像データの録画漏れを低減できる。
【図面の簡単な説明】
【００１３】
【図１】実施形態に係るウェアラブルカメラシステムの概要とウェアラブルカメラにより撮像した映像データの使用に関する説明図
【図２】実施形態における警察官がパトカーに乗車して現場へ向かうイメージを示した模式図
【図３】実施形態に係るウェアラブルカメラの内部構成の一例を示すブロック図
【図４】実施形態に係るウェアラブルカメラをユーザが装着した状態を示す図
【図５】実施形態に係るウェアラブルカメラの外観の一例を示す正面図
【図６】実施形態に係るウェアラブルカメラの外観の一例を示す左側面図
【図７】実施形態に係るウェアラブルカメラの外観の一例を示す右側面図
【図８】実施形態に係る車載レコーダの内部構成の一例を示すブロック図
【図９】実施形態に係る車載ＰＣの内部構成の一例を示すブロック図
【図１０】実施形態に係る属性情報の設定の一例を示す模式図
【図１１】実施形態に係る録画データのデータ構造の一例を示す模式図
【図１２】実施形態に係るウェアラブルカメラが保持する録画映像リストのデータ構造の一例を示す模式図
【図１３】実施形態に係る車載レコーダが保持する録画映像リストのデータ構造の一例を示す模式図
【図１４】実施形態に係る車載レコーダにより通信相手としての特定のウェアラブルカメラを探索する場合の動作例を示すフローチャート
【図１５】実施形態に係る通信相手として導出された特定のウェアラブルカメラに関する情報が保持された管理テーブルの一例を示す模式図
【図１６】実施形態に係るウェアラブルカメラにより通信相手としての特定の車載レコーダを探索する場合の動作例を示すフローチャート
【図１７】実施形態に係るウェアラブルカメラが車載システム連動により録画開始する場合のウェアラブルカメラシステムの動作例を示すシーケンス図
【図１８】実施形態に係る車載レコーダがＷＣＡＭ連動により録画開始する場合のウェアラブルカメラシステムの動作例を示すシーケンス図
【発明を実施するための形態】
【００１４】
以下、本発明の実施形態について、図面を用いて説明する。
【００１５】
図１は、本実施形態に係るウェアラブルカメラシステム１００の概要とウェアラブルカメラ１０により撮像した映像データの使用に関する説明図である。図２は、警察官７がパトカー６に乗車して現場８へ向かうイメージを示した模式図である。
【００１６】
本実施形態のウェアラブルカメラ１０は、ユーザ（例えば警察官（Ｏｆｆｉｃｅｒ）７、警備員）が体又は着用した衣服等に装着可能な撮像装置である。ウェアラブルカメラ１０は、車に搭載した車載システム６０、ユーザ組織内のサーバ（バックエンドサーバ）ＳＶ１，ＳＶ２，ＳＶ３等との間で通信する通信機能を有する。
【００１７】
ウェアラブルカメラシステム１００において、ウェアラブルカメラ１０、車載システム６０がフロントエンドシステム１００Ａを構成し、ネットワーク上の管理ソフトウェア７０、警察署５内のＰＣである署内ＰＣ７１、サーバＳＶ１，ＳＶ２，ＳＶ３がバックエンドシステム１００Ｂを構成する。管理ソフトウェア７０は、例えば署内ＰＣ７１又はサーバＳＶ１〜ＳＶ３により実行される。
【００１８】
ウェアラブルカメラシステム１００の一例として、警察署５において使用される場合を想定して説明する。この場合、警察官７がウェアラブルカメラ１０を使用して撮像し、例えば警察署５内のバックエンドシステム１００Ｂに撮像した映像データを転送して蓄積する。なお、ウェアラブルカメラ１０は、ユーザが警察官７に限定されず、その他様々な事業所（例えば、警備会社）において使用されてもよい。本実施形態では、ユーザとして警察官７を主に例示する。
【００１９】
フロントエンドシステム１００Ａは、現場８の最前線に出動する警察官７が装着可能なウェアラブルカメラ１０と、パトカー６内に設置された車載システム６０と、を含む。
【００２０】
車載システム６０は、車載カメラ６１、車載レコーダ６２、車載ＰＣ６３、通信ユニット等を有し、車載カメラシステム、映像管理システム等を構成する（図２参照）。
【００２１】
車載カメラ６１は、パトカー６の所定位置に設置され、パトカー６の周囲を常時又は所定のタイミングで映像を撮像する撮像部（不図示）を備える。車載カメラ６１は、例えばパトカー６の前方を撮像するためのフロント用カメラ（不図示）、パトカー６内のバックシート（例えば容疑者を座らせているシート）を撮像するためのバックシート用カメラ（不図示）と、を含む。車載カメラ６１により撮像された映像データは、例えば録画されると、車載レコーダ６２にて蓄積される。車載カメラ６１は、複数台設けられてもよい。
【００２２】
尚、フロント用カメラやバックシート用カメラには、パトカー６の車内外の音を収音するマイク（不図示）を備え付けられてもよい。この場合、パトカー６内の警察官７又は容疑者の発する音声も収音（録音）可能である。
【００２３】
車載レコーダ６２は、車載カメラ６１により撮像された映像データを蓄積する。また、車載レコーダ６２は、車載カメラ６１により撮像された映像データに対して属性情報などのメタ情報を付与し、管理してもよい。
【００２４】
車載レコーダ６２は、ウェアラブルカメラ１０により撮像された映像データを取得し、蓄積してもよい。取得され、又は蓄積される映像データには、属性情報などのメタ情報が付与されていてもよい。
【００２５】
車載ＰＣ６３は、パトカー６内に固定的に搭載されるＰＣでもよいし、パトカー６外にも携帯可能なＰＣ、スマートフォン、携帯電話機、タブレット端末、ＰＤＡ（Ｐｅｒｓｏｎａｌ  Ｄｉｇｉｔａｌ  Ａｓｓｉｓｔａｎｔ）等の無線通信装置であってもよい。
【００２６】
車載ＰＣ６３は、図示しない管理ソフトウェアを実行することで、車載システム６０とウェアラブルカメラ１０との連携を可能にする。また、車載ＰＣ６３のＵＩ（Ｕｓｅｒ  Ｉｎｔｅｒｆａｃｅ）（例えば、操作部、表示部、音声出力部）は、車載レコーダ６２を操作するためのＵＩとしても用いられる。
【００２７】
警察官７は、所定の用件（例えばパトロール）で警察署５から出動する際、例えば、ウェアラブルカメラ１０を装着し、車載システム６０を搭載したパトカー６に乗車して現場８に向かう（図２参照）。
【００２８】
フロントエンドシステム１００Ａにおいて、例えば、パトカー６が到着した現場８の映像を車載システム６０の車載カメラ６１により撮像し、警察官７がパトカー６から降車して現場８のより詳細な映像をウェアラブルカメラ１０により撮像する。
【００２９】
ウェアラブルカメラ１０が撮像した動画又は静止画の映像データは、例えば、ウェアラブルカメラ１０のメモリ、車載システム６０の車載レコーダ６２又は車載ＰＣ６３のメモリに保存される。
【００３０】
ウェアラブルカメラ１０は、ウェアラブルカメラ１０のメモリ等から、ウェアラブルカメラ１０により撮像された映像データを含む各種データを、バックエンドシステム１００Ｂに転送（アップロード）する。
【００３１】
車載システム６０（例えば車載レコーダ６２）は、車載システム６０のメモリ等から、車載カメラ６１により撮像された映像データを含む各種データを、バックエンドシステム１００Ｂに転送（アップロード）する。
【００３２】
バックエンドシステム１００Ｂへのデータ転送は、例えば、現場８から無線通信により接続して行うか、或いは、パトロールが終了して警察署５に戻った際に、有線通信、無線通信、又は手動（例えば記憶媒体の持ち運び）により行う。
【００３３】
バックエンドシステム１００Ｂは、警察署５内又は他の場所に設置されたサーバＳＶ１〜ＳＶ３と、フロントエンドシステム１００Ａと通信するための管理ソフトウェア７０と、署内ＰＣ７１と、を含む。
【００３４】
サーバＳＶ１〜ＳＶ３は、サーバＳＶ１〜ＳＶ３の内部又は外部にＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等によるストレージを備える。サーバＳＶ１〜ＳＶ３は、フロントエンドシステム１００Ａから転送された映像データ及び他のデータを、サーバＳＶ１〜ＳＶ３に蓄積する。サーバＳＶ１〜ＳＶ３は、例えば、ウェアラブルカメラ１０又は車載システム６０（例えば車載レコーダ６２）から転送された映像データを受信し、ＨＤＤ等のストレージに保存する。
【００３５】
バックエンドシステム１００Ｂに蓄積された映像データは、例えば警察署５内の関係部署の担当者により事件の操作・検証等に利用され、必要に応じて、所定の記憶媒体（例えばＤＶＤ：Ｄｉｇｉｔａｌ  Ｖｅｒｓａｔｉｌｅ  Ｄｉｓｋ）に映像データがコピーされて、所定のシーン（例えば裁判）において証拠品として提出される。本実施形態では、警察官７が装着したウェアラブルカメラ１０を用いて、現場８の証拠映像をより的確に取得及び保存することが可能になっている。
【００３６】
警察官７が警察署５から現場８へ出動し、ウェアラブルカメラ１０を用いる際には、警察官７の識別情報（例えばＯｆｆｉｃｅｒ  ＩＤ）、警察官が使用するウェアラブルカメラ１０の識別情報（例えばＣａｍｅｒａ  ＩＤ）、警察官７が使用するパトカー６の識別情報（例えばＣａｒ  ＩＤ）等を、署内ＰＣ７１等を用いて設定登録する。これにより、サーバＳＶ１〜ＳＶ３に蓄積された映像データについて、いつ、どの警察官がどのカメラを用いて撮像した映像であるかを明確に区別できる。
【００３７】
警察官７やウェアラブルカメラ１０の設定登録は、例えば、警察署５内の担当者や出動する警察官７が署内ＰＣ７１の操作部（不図示）を操作し、署内ＰＣ７１が管理ソフトウェア７０を実行することで行われる。この設定登録では、上記Ｏｆｆｉｃｅｒ  ＩＤ、Ｃａｍｅｒａ  ＩＤ、Ｃａｒ  ＩＤ以外の情報が署内ＰＣ７１の操作部を介して入力されてもよい。
【００３８】
つまり、管理ソフトウェア７０は、例えば、警察官７の人員を管理するためのアプリケーション、パトカー６等の配車を管理するためのアプリケーション、ウェアラブルカメラ１０の持ち出しを管理するためのアプリケーション、を含む。また、管理ソフトウェア７０は、例えば、サーバＳＶ１〜ＳＶ３に蓄積された複数の映像データから、属性情報に基づいて特定の映像データを検索し、抽出するためのアプリケーションを含む。
【００３９】
また、警察官７がパトカー６へ乗車した際には、車載システム６０に対して警察官７がログイン可能である。このログインの際には、例えば、車載ＰＣ６３の操作部を操作して、警察署５内での設定登録と同様に、Ｏｆｆｉｃｅｒ  ＩＤ、Ｃａｍｅｒａ  ＩＤ、その他の情報を入力する。入力されたＯｆｆｉｃｅｒ  ＩＤ、Ｃａｍｅｒａ  ＩＤ、その他の情報は、例えば、車載レコーダ６２のフラッシュＲＯＭ１０４に保持される。
【００４０】
車載システム６０に対して警察官７がログインすると、警察官７が車載システム６０を使用することが許可される。車載システム６０と警察官７が所持するウェアラブルカメラ１０との連携も、ログインした後に可能となってもよい。例えば、ウェアラブルカメラ１０が撮像した映像データを車載システム６０（例えば車載レコーダ６２）へ送信して、警察官７が車載ＰＣ６３により確認でき、車載システム６０（例えば車載レコーダ６２）がウェアラブルカメラ１０へ各種設定を指示できる。
【００４１】
図３は、ウェアラブルカメラ１０の内部構成の一例を示すブロック図である。図４は、ウェアラブルカメラ１０を警察官７が装着した状態を示す模式図である。図５は、ウェアラブルカメラ１０の外観の一例を示す正面図である。図６は、ウェアラブルカメラ１０の外観の一例を示す左側面図である。図７は、ウェアラブルカメラ１０の外観の一例を示す右側面図である。
【００４２】
図３に示すように、ウェアラブルカメラ１０は、撮像部１１と、ＧＰＩＯ１２（Ｇｅｎｅｒａｌ  Ｐｕｒｐｏｓｅ  Ｉｎｐｕｔ／Ｏｕｔｐｕｔ）と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、記憶部１５と、を備える。ウェアラブルカメラ１０は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１６と、ＲＴＣ（Ｒｅａｌ  Ｔｉｍｅ  Ｃｌｏｃｋ）１７と、ＧＰＳ（Ｇｌｏｂａｌ  Ｐｏｓｉｔｉｏｎｉｎｇ  Ｓｙｓｔｅｍ）１８と、を備える。ウェアラブルカメラ１０は、ＭＣＵ（Ｍｉｃｒｏ  Ｃｏｎｔｒｏｌｌｅｒ  Ｕｎｉｔ）１９と、通信部２１と、ＵＳＢ（Ｕｎｉｖｅｒｓａｌ  Ｓｅｒｉａｌ  Ｂｕｓ）２２と、コンタクトターミナル２３と、電源部２４と、バッテリ２５と、を備える。
【００４３】
ウェアラブルカメラ１０は、操作部の一例として、録画スイッチＳＷ１と、スナップショットスイッチＳＷ２と、属性情報付与スイッチＳＷ３と、属性選択スイッチＳＷ４と、通信モードスイッチＳＷ５と、インジケータスイッチＳＷ６と、を備える。
【００４４】
ウェアラブルカメラ１０は、状態表示部の一例として、ＬＥＤ（Ｌｉｇｈｔ  Ｅｍｉｔｔｉｎｇ  Ｄｉｏｄｅ）２６ａ，２６ｂ，２６ｃと、バイブレータ２７と、を備える。
【００４５】
撮像部１１は、例えば、撮像レンズ１１ａ（図５参照）と、ＣＣＤ（Ｃｈａｒｇｅ  Ｃｏｕｐｌｅｄ  Ｄｅｖｉｃｅ）型イメージセンサ又はＣＭＯＳ（Ｃｏｍｐｌｅｍｅｎｔａｒｙ Ｍｅｔａｌ  Ｏｘｉｄｅ  Ｓｅｍｉｃｏｎｄｕｃｔｏｒ）型イメージセンサ等による固体撮像素子と、を有する。撮像部１１は、撮像により得られた被写体の映像データをＭＣＵ１９に出力する。
【００４６】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間で信号を入出力する。また、ＧＰＩＯ１２には、例えば、各種センサ（例えば加速度センサ）が接続される。
【００４７】
ＲＡＭ１３は、例えば、ＭＣＵ１９の動作において使用されるワークメモリである。ＲＯＭ１４は、例えば、ＭＣＵ１９を制御するためのプログラム及びデータを予め記憶するメモリである。
【００４８】
記憶部１５は、例えば、ＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００４９】
ＥＥＰＲＯＭ１６は、例えば、ウェアラブルカメラ１０を識別する識別情報（例えばＣａｍｅｒａ  ＩＤとしてのシリアル番号）、及び他の設定情報を記憶する。他の設定情報は、例えば、署内ＰＣ７１での設定登録や車載レコーダ６２へログインすることにより得られるログイン情報（例えばＣａｒ  ＩＤ、Ｏｆｆｉｃｅｒ  ＩＤ）、属性選択スイッチＳＷ４の状態と属性情報との対応を示す対応情報、を含む。
【００５０】
ＲＴＣ１７は、現在の時刻情報をカウントしてＭＣＵ１９に出力する。
【００５１】
ＧＰＳ１８は、現在のウェアラブルカメラ１０の位置情報および時刻情報をＧＰＳ発信機（不図示）から受信して、ＭＣＵ１９に出力する。時刻情報は、ウェアラブルカメラ１０のシステム時刻の補正のために使用される。
【００５２】
ＭＣＵ１９は、制御部としての機能を有し、例えば、ウェアラブルカメラ１０の各部の動作を全体的に統括するための制御処理、ウェアラブルカメラ１０の各部との間のデータの入出力処理、データの演算（計算）処理及びデータの記憶処理を行い、ＲＯＭ１４に記憶されたプログラム及びデータに従って動作する。ＭＣＵ１９は、動作時には、例えば、ＲＡＭ１３を使用し、ＲＴＣ１７より現在の時刻情報を得て、ＧＰＳ１８より現在の位置情報を得る。
【００５３】
通信部２１は、例えばＯＳＩ（Ｏｐｅｎ  Ｓｙｓｔｅｍｓ  Ｉｎｔｅｒｃｏｎｎｅｃｔｉｏｎ）参照モデルの第１層である物理層において、通信部２１とＭＣＵ１９との接続を規定する。通信部２１は、この規定に従って、例えば、無線ＬＡＮ（Ｗ−ＬＡＮ）による無線通信（例えばＷｉ−ｆｉ（登録商標））を行う。通信部２１は、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等の無線通信を行ってもよい。
【００５４】
ＵＳＢ２２は、シリアルバスであり、例えば、車載システム６０、又は警察署５内の署内ＰＣ７１との接続を可能とする。
【００５５】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、ウェアラブルカメラ１０の充電、及び映像データを含むデータの通信が可能となっている。
【００５６】
コンタクトターミナル２３には、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧および電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。
【００５７】
コンタクトターミナル２３とクレードル（不図示）又は外付けアダプタ（不図示）のコネクタとが接続されることにより、ウェアラブルカメラ１０と外部機器との間でデータ通信が可能となる。
【００５８】
電源部２４は、例えば、コンタクトターミナル２３を介してクレードル又は外付けアダプタより供給される電源電力をバッテリ２５に給電して、バッテリ２５を充電する。バッテリ２５は、例えば、充電可能な２次電池により構成され、ウェアラブルカメラ１０の各部に電源電力を供給する。
【００５９】
録画スイッチＳＷ１は、例えば、警察官７の押下操作による録画（動画の撮像）の開始／停止の操作指示を入力する押しボタンスイッチである。
【００６０】
スナップショットスイッチＳＷ２は、例えば、警察官７の押下操作による静止画の撮像の操作指示を入力する押しボタンスイッチである。
【００６１】
属性情報付与スイッチＳＷ３は、例えば、警察官７の押下操作による、映像データに属性情報を付与するための操作指示を入力する押しボタンスイッチである。
【００６２】
属性選択スイッチＳＷ４は、例えば、映像データに付与する属性（タグ）を選択するための操作指示を入力するスライドスイッチである。
【００６３】
通信モードスイッチＳＷ５は、例えば、ウェアラブルカメラ１０と外部機器との間の通信モードを設定するための操作指示を入力するスライドスイッチである。
【００６４】
インジケータスイッチＳＷ６は、例えば、ＬＥＤ２６ａ〜２６ｃ及びバイブレータ２７による動作状態表示モードを設定するための操作指示を入力するスライドスイッチである。
【００６５】
録画スイッチＳＷ１、スナップショットスイッチＳＷ２、属性情報付与スイッチＳＷ３、及び属性選択スイッチＳＷ４は、緊急時においても容易に操作が可能に構成される。なお、各スイッチＳＷ１〜ＳＷ６は、上記の形態に限定されず、警察官７による操作指示の入力が可能な他の形態の操作入力デバイスでもよい。
【００６６】
ＬＥＤ２６ａは、例えば、ウェアラブルカメラ１０の電源投入状態（オンオフ状態）及びバッテリ２５の状態を示す表示部である。
【００６７】
ＬＥＤ２６ｂは、例えば、ウェアラブルカメラ１０の撮像動作の状態（録画状態）を示す表示部である。
【００６８】
ＬＥＤ２６ｃは、例えば、ウェアラブルカメラ１０の通信モードの状態を示す表示部である。
【００６９】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。
【００７０】
ＭＣＵ１９は、録画スイッチＳＷ１の操作入力を検出した場合、撮像部１１における撮像動作の開始又は停止を制御し、撮像部１１から得られた撮像データを、動画像の映像データとして記憶部１５に保存する。
【００７１】
ＭＣＵ１９は、スナップショットスイッチＳＷ２の操作入力を検出した場合、スナップショットスイッチＳＷ２が操作されたときの撮像部１１による撮像データを、静止画の映像データとして記憶部１５に保存する。
【００７２】
ＭＣＵ１９は、属性情報付与スイッチＳＷ３の操作入力を検出した場合、予め設定された属性情報を映像データに付与し、映像データと対応付けて記憶部１５に保存する。この際、属性選択スイッチＳＷ４の状態と所定の属性情報との対応関係を示す対応情報をＥＥＰＲＯＭ１６に保持しておき、ＭＣＵ１９は、属性選択スイッチＳＷ４の状態を検出し、属性選択スイッチＳＷ４の設定に応じた属性情報を付与する。
【００７３】
ＭＣＵ１９は、通信モードスイッチＳＷ５の状態を検出し、通信モードスイッチＳＷ５の設定に応じた通信モードによって通信部２１を動作させる。
【００７４】
ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００７５】
図４に示すように、ウェアラブルカメラ１０は、例えば、警察官７の胸部など、警察官７の視点に近い位置からの視野の映像を撮像するように、警察官７が着用した衣服又は体に装着して使用される。警察官７は、ウェアラブルカメラ１０を装着した状態で、録画スイッチＳＷ１を操作して周囲の被写体の撮像を行う。
【００７６】
図５に示すように、ウェアラブルカメラ１０では、例えば、略直方体状の筐体１０Ａの正面に、撮像部１１の撮像レンズ１１ａ、録画スイッチＳＷ１、スナップショットスイッチＳＷ２が設けられる。
【００７７】
録画スイッチＳＷ１は、例えば、奇数回押下されることで録画（動画の撮像）が開始され、偶数回押下されることで録画が終了する。
【００７８】
スナップショットスイッチＳＷ２は、例えば、押下される度に、押下時の静止画の撮像が実行される。
【００７９】
図６に示すように、ウェアラブルカメラ１０の筐体１０Ａの正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。
【００８０】
属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報を警察官７が選択して指定する。
【００８１】
ＵＳＢコネクタ２２ａには、ＵＳＢ２２により外部機器と接続するケーブルが接続される。これにより、ウェアラブルカメラ１０と車載システム６０又は警察署５内の署内ＰＣ７１等とを接続し、データ通信可能である。
【００８２】
図７に示すように、ウェアラブルカメラ１０の筐体１０Ａの正面から見て右側面には、通信モードスイッチＳＷ５、インジケータスイッチＳＷ６が設けられる。
【００８３】
通信モードスイッチＳＷ５は、図示例ではＡＰ、ＳＴＡ１、ＳＴＡ２、ＯＦＦの４段階の接点位置を有するスライドスイッチであり、ウェアラブルカメラ１０の通信モードをユーザが選択して指定する。
【００８４】
ＡＰは、アクセスポイントモードであり、ウェアラブルカメラ１０が無線ＬＡＮのアクセスポイントとして動作し、例えば、警察官７が所持する携帯端末（不図示）と無線接続して、ウェアラブルカメラ１０と携帯端末との間で通信を行うモードである。
【００８５】
アクセスポイントモードにおいて、携帯端末は、ウェアラブルカメラ１０と接続することにより、ウェアラブルカメラ１０による現在のライブ映像の表示、録画された映像データの再生、撮像された静止画の表示、映像データに付与された属性情報やメタ情報の表示等を行うことができる。
【００８６】
ＳＴＡ１，ＳＴＡ２は、ステーションモードであり、無線ＬＡＮを用いて外部機器と接続する場合に、外部機器をアクセスポイントとして通信を行うモードである。ＳＴＡ１は警察署５内のアクセスポイントと接続するモード、ＳＴＡ２は車載システム６０と接続するモードであり、それぞれ異なる接続先情報が設定される。
【００８７】
ステーションモードにおいて、ウェアラブルカメラ１０は、各種設定、ウェアラブルカメラ１０が保持する録画された映像データの転送（アップロード）などを車載システム６０や警察署５内の署内ＰＣ７１やサーバＳＶ１〜ＳＶ３に対して行うことができる。
【００８８】
ＯＦＦは、無線ＬＡＮの通信動作をオフし、無線ＬＡＮを未使用とするモードである。
【００８９】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードを警察官７が選択して指定する。
【００９０】
ＬＥＤは、ＬＥＤ２６ａ〜２６ｃによってウェアラブルカメラ１０の録画中などの動作状態や後述する録画開始要因を表示するモードである。
【００９１】
Ｖｉｂｒａｔｉｏｎは、バイブレータ２７の振動によってウェアラブルカメラ１０の動作状態や後述する録画開始要因を報知するモードである。
【００９２】
ＬＥＤ＆Ｖｉｂｒａｔｉｏｎは、ＬＥＤ２６ａ〜２６ｃの表示とバイブレータ２７の振動とによって、ウェアラブルカメラ１０の動作状態や後述する録画開始要因を報知するモードである。
【００９３】
ＯＦＦは動作状態や後述する録画開始要因の報知動作をオフするモードである。
【００９４】
ＬＥＤ２６ａ〜２６ｃは、図４に示すように、ウェアラブルカメラ１０の筐体１０Ａの正面から見て上面に配置されている。これにより、警察官７がウェアラブルカメラ１０を装着した状態でＬＥＤ２６ａ〜２６ｃを容易に視認できる。尚、警察官７本人以外からはＬＥＤ２６ａ〜２６ｃが見えないようにしてもよい。
【００９５】
また、図示しないが、ウェアラブルカメラ１０の筐体１０Ａの正面から見て下面には、コンタクトターミナル２３が設けられる。
【００９６】
図８は、車載レコーダ６２の内部構成の一例を示すブロック図である。車載レコーダ６２は、ＣＰＵ１０１、無線通信部１０２、有線通信部１０３、フラッシュＲＯＭ１０４、ＲＡＭ１０５、μＣＯＮ１０６、ＧＰＳ１０７、ＧＰＩＯ１０８、ボタン１０９、ＬＥＤ１１０、及びＳＳＤ１１１を含む構成である。
【００９７】
ＣＰＵ１０１は、例えば、車載レコーダ６２の各部の動作を全体的に統括するための制御処理、他の各部との間のデータの入出力処理、データの演算（計算）処理及びデータの記憶処理を行う。
【００９８】
無線通信部１０２は、無線回線を介して外部装置と無線通信する。無線通信は、例えば、無線ＬＡＮ（Ｌｏｃａｌ  Ａｒｅａ  Ｎｅｔｗｏｒｋ）通信、近距離無線通信（ＮＦＣ）、Ｂｌｕｅｔｏｏｔｈ（登録商標）を含む。無線ＬＡＮ通信は、例えばＷｉ−ｆｉ（登録商標）のＩＥＥＥ８０２．１１ｎ規格に従って通信する。ＣＰＵ１０１と無線通信部１０２との間は、例えば、ＰＣＩ（Ｐｅｒｉｐｈｅｒａｌ  Ｃｏｍｐｏｎｅｎｔ  ＩｎｔｅｒＣｏｎｎｅｃｔ）又はＵＳＢを介して接続される。無線通信部１０２は、例えば、車載カメラ６１、車載ＰＣ６３、ウェアラブルカメラ１０、警察署５の署内ＰＣ７１やサーバＳＶ１〜ＳＶ３との間で無線通信する。
【００９９】
有線通信部１０３は、有線回線（例えば有線ＬＡＮ）を介して外部装置と有線通信する。有線通信部１０３は、例えば、車載カメラ６１、車載ＰＣ６３、ウェアラブルカメラ１０、警察署５の署内ＰＣ７１やサーバＳＶ１〜ＳＶ３との間で有線通信する。
【０１００】
フラッシュＲＯＭ１０４は、例えば、ＣＰＵ１０１を制御するためのプログラム及びデータを記憶するメモリである。
【０１０１】
ＲＡＭ１０５は、例えば、ＣＰＵ１０１の動作において使用されるワークメモリである。ＲＡＭ１０５は、例えば複数設けられる。
【０１０２】
μＣＯＮ１０６は、例えば、マイクロコンピュータの一種であり、外部インタフェースに係る各部（例えば、ＧＰＳ１０７、ＧＰＩＯ１０８、ボタン１０９、ＬＥＤ１１０）と接続され、外部インタフェースに関する制御を行う。μＣＯＮ１０６は、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を介して、ＣＰＵ１０１に接続される。
【０１０３】
ＧＰＳ１０７は、例えば、現在の車載レコーダ６２の位置情報および時刻情報をＧＰＳ発信機（不図示）から受信して、ＣＰＵ１０１に出力する。この時刻情報は、車載レコーダ６２のシステム時刻の補正のために使用される。
【０１０４】
ＧＰＩＯ１０８は、例えば、パラレルインタフェースであり、ＧＰＩＯ１０８を介して接続される外部装置（不図示）とＭＣＵ１９との間で、信号を入出力する。ＧＰＩＯ１０８には、例えば、各種センサ（例えば速度センサ、加速度センサ、扉開閉センサ）が接続される。
【０１０５】
ボタン１０９は、例えば、車載カメラ６１により撮像された映像データの録画を開始又は停止するための録画ボタン、車載カメラ６１により撮像された映像データに対して属性情報やメタ情報を付与するための付与ボタン、を含む。
【０１０６】
ＬＥＤ１１０は、例えば、車載レコーダ６２の電源投入状態（オンオフ状態）、録画の実施状態、車載レコーダ６２のＬＡＮへの接続状態、車載レコーダ６２に接続されたＬＡＮの使用状態を、点灯、消灯、点滅等により表示する。
【０１０７】
ＳＳＤ１１１は、例えば、車載カメラ６１により撮像され録画された映像データを蓄積する。ＳＳＤ１１１は、ウェアラブルカメラ１０により撮像され録画された映像データを蓄積してもよい。また、ＳＳＤ１１１は、映像データ以外のデータを蓄積してもよい。ＳＳＤ１１１は、ＳＡＴＡ（Ｓｅｒｉａｌ  ＡＴＡ）を介して、ＣＰＵ１０１に接続される。ＳＳＤ１１１は、複数設けられてもよい。尚、ＳＳＤ１１１以外のストレージ（例えばＨＤＤ）が設けられてもよい。
【０１０８】
図９は、車載ＰＣ６３の内部構成の一例を示すブロック図である。車載ＰＣ６３は、ＣＰＵ２０１と、Ｉ／Ｏ（Ｉｎｐｕｔ／Ｏｕｔｐｕｔ）制御部２０２と、通信部２０３と、メモリ２０４と、入力部２０５と、表示部２０６と、スピーカ２０７と、ＨＤＤ２０８と、を含む構成である。車載ＰＣ６３は、例えば、ウェアラブルカメラ１０、車載レコーダ６２とそれぞれ通信可能であり、バックエンドシステム１００Ｂのサーバ装置ＳＶ１〜ＳＶ３や署内ＰＣ７１とも通信可能である。
【０１０９】
ＣＰＵ２０１は、例えば、車載ＰＣ６３の各部の動作を全体的に統括するための制御処理、他の各部との間のデータのＩ／Ｏ制御部２０２を介した入出力処理、データの演算（計算）処理及びデータの記憶処理を行う。
【０１１０】
ＣＰＵ２０１は、例えば、表示部２０６に表示された車載システム６０へのログイン画面（不図示）に対する警察官７の入力操作により、警察官７の車載システム６０へのログインの可否を認証する。警察官７の入力操作は、例えば、ＯｆｆｉｃｅｒＩＤとパスワード等を入力する操作である。ログインが許可される対象となる警察官７に関する各種情報は、例えばメモリ２０４に予め保存されており、ＣＰＵ２０１は、メモリ２０４に予め保存されているログインの許可対象の情報を用いて、警察官７の車載システム６０へのログインの可否を判定する。
【０１１１】
尚、このログインは、車載ＰＣ６３を介した車載システム６０へのログインでもよいし、車載ＰＣ６３に搭載された車載システム６０を操作するアプリケーションへのログインでもよい。
【０１１２】
Ｉ／Ｏ制御部２０２は、ＣＰＵ２０１と車載ＰＣ６３の各部（例えば通信部２０３、入力部２０５、表示部２０６、スピーカ２０７）との間でデータの入出力に関する制御を行い、ＣＰＵ２０１からのデータ及びＣＰＵ２０１へのデータの中継を行う。尚、Ｉ／Ｏ制御部２０２は、ＣＰＵ２０１と一体的に構成されてもよい。
【０１１３】
通信部２０３は、例えば、車載レコーダ６２との間、警察官７が装着可能なウェアラブルカメラ１０との間、又はバックエンドシステム１００Ｂ側との間で、有線又は無線による通信を行う。
【０１１４】
通信部２０３は、警察官７が車載システム６０にログイン中である場合、メモリ２０４に保存されるログイン情報をウェアラブルカメラ１０に転送してコピーさせ、警察官７が車載システム６０にログインしていない場合、ログイン情報をウェアラブルカメラ１０に転送しない。
【０１１５】
ログイン情報は、例えば、警察官７を識別するためのＯｆｆｉｃｅｒ  ＩＤ、ウェアラブルカメラ１０を識別するためのＣａｍｅｒａ  ＩＤ、使用されるパトカー６を識別するためのＣａｒ  ＩＤを含む。
【０１１６】
メモリ２０４は、例えばＲＡＭ、ＲＯＭ、不揮発性又は揮発性の半導体メモリを用いて構成され、ＣＰＵ２０１の動作時のワークメモリとして機能し、ＣＰＵ２０１を動作させるための所定のプログラム及びデータを保存している。メモリ２０４は、例えば、車載システム６０へのログインが許可される警察官７に関するログイン情報を保存する。
【０１１７】
入力部２０５は、警察官７の入力操作を受け付け、Ｉ／Ｏ制御部２０２を介してＣＰＵ２０１に通知するためのＵＩであり、例えばマウス、キーボード等のポインティングデバイスである。入力部２０５は、例えば表示部２０６の画面に対応して配置され、警察官７の指又はスタイラスペンによって操作が可能なタッチパネル又はタッチパッドを用いて構成されても良い。
【０１１８】
入力部２０５は、例えば、車載システム６０へログインするためのログイン情報を入力する。
【０１１９】
表示部２０６は、例えばＬＣＤ（Ｌｉｑｕｉｄ  Ｃｒｙｓｔａｌ  Ｄｉｓｐｌａｙ）又は有機ＥＬ（Ｅｌｅｃｔｒｏｌｕｍｉｎｅｓｃｅｎｃｅ）を用いて構成され、各種情報を表示する。また、表示部２０６は、例えば警察官７の入力操作に応じて、ウェアラブルカメラ１０により撮像（録画）された映像データが入力された場合には、ＣＰＵ２０１の指示の下で、映像データに含まれる映像を画面に表示する。
【０１２０】
スピーカ２０７は、例えば警察官７の入力操作に応じて、ウェアラブルカメラ１０により撮像（録画）された音声を含む映像データが入力された場合には、ＣＰＵ２０１の指示の下で、映像データに含まれる音声を出力する。なお、表示部２０６及びスピーカ２０７は、車載ＰＣ６３とは別々の構成としてもよい。
【０１２１】
ＨＤＤ２０８は、例えば、各種データ、ソフトウェア（ソフトウェアプログラム）を記憶する。具体的には、ＨＤＤ２０８は、例えば、車載レコーダ６２の制御や設定を行うためのソフトウェア、ウェアラブルカメラ１０の制御や設定を行うためのソフトウェア、を保存する。また、ＨＤＤ２０８は、例えば、ウェアラブルカメラ１０から転送され、ウェアラブルカメラ１０により撮像された映像データを保存する。
【０１２２】
次に、映像データへの属性情報の付与について説明する。
【０１２３】
ウェアラブルカメラシステム１００において、ウェアラブルカメラ１０により録画し、サーバＳＶ１〜ＳＶ３へ転送して蓄積した映像データを利用する場合を想定する。同様に、車載カメラ６１により撮像し、車載レコーダ６２により録画し、サーバＳＶ１〜ＳＶ３へ転送して蓄積した映像データを利用する場合を想定する。
【０１２４】
この場合、例えば、署内ＰＣ７１は、警察署５内の警察官の操作に応じて、蓄積した映像データの中から、映像内容の種別、撮像した警察官７、日時、撮像場所など、映像データに関連する何らかの属性情報を基にして対象の映像データを抽出し、再生できる。この際に、映像データに対応付けられた属性情報が用いられる。映像データに属性情報が付与されることで、何を撮像した映像であるかの判別が容易になり、目的の映像データを抽出することが容易になる。
【０１２５】
ここでは、ウェアラブルカメラ１０は、属性情報として映像内容の種別を示す分類情報（Ｃｌａｓｓｉｆｙ）を付与し、映像データを各種別に振り分け可能にする。分類情報は、映像データの内容に関する事件カテゴリを示す。映像データに対する属性情報の付与は、タグ付け等とも称する。なお、属性情報としては分類情報に限定されず、録画した映像データに関するあらゆる情報が含まれる。また、属性情報としての分類情報は、例えば、階層構造とされ、又は、分類を異なる複数の系統によってカテゴリ分けされてもよい。
【０１２６】
また、上記と同様に、車載レコーダ６２は、属性情報として映像内容の種別を示す分類情報（Ｃｌａｓｓｉｆｙ）を付与し、映像データを各種別に振り分け可能にする。
【０１２７】
図１０は、属性選択スイッチＳＷ４における属性情報の設定の一例を示す模式図である。
【０１２８】
ウェアラブルカメラ１０を使用する場合、図１０に示すように、属性選択スイッチＳＷ４の状態（接点位置）Ｃ１〜Ｃ３にそれぞれ対応して、属性情報を割り付けて設定しておく。図示例は、警察官７が現場８（例えば事件現場）の様子を撮像する場合を想定し、Ｃ１に飲酒運転（Ｄｒｉｖｉｎｇ  Ｕｎｄｅｒ  ｔｈｅ  Ｉｎｆｌｕｅｎｃｅ）、Ｃ２に薬物乱用（Ｄｒｕｇ  Ａｂｕｓｅ  Ｖｉｏｌａｔｉｏｎｓ）、Ｃ３に窃盗（Ｓｔｏｌｅｎ  Ｐｒｏｐｏｅｒｔｙ）をそれぞれ割り付けたものである。
【０１２９】
属性情報の割り付けでは、例えば、ウェアラブルカメラ１０のＭＣＵ１９が、複数定義された属性情報の中から、警察官７にとって使用頻度の高い属性情報を選択して設定する。属性情報の設定内容は、例えば、ウェアラブルカメラ１０のＥＥＰＲＯＭ１６に設定情報の一つとして記憶される。
【０１３０】
尚、車載レコーダ６２は、例えば、通信部２０３が、車載ＰＣ６３の入力部２０５により入力された属性情報を取得し、ＣＰＵ１０１が、車載カメラ６１により撮像された映像データに対して、取得された属性情報を付与する。車載レコーダ６２による属性情報の付与では、属性選択スイッチＳＷ４のように接点数が決まっていないので、より多種類の属性情報を付与することが可能である。
【０１３１】
図１１は、録画データのデータ構造の一例を示す模式図である。録画データは、録画された映像データと、この映像データに対応するメタ情報とを含む。メタ情報については後述するが、メタ情報は属性情報を含む。ウェアラブルカメラ１０により撮像され録画された録画データと、車載カメラ６１により撮像され、車載レコーダ６２により録画された録画データとは、同様の形式である。
【０１３２】
次に、録画映像リストのデータ構造について説明する。ウェアラブルカメラ１０により撮像された映像データに係る録画映像リストは、ウェアラブルカメラ１０の記憶部１５に保持される。車載カメラ６１により撮像された映像データに係る録画映像リストは、車載レコーダ６２のＳＳＤ１１１に保持される。
【０１３３】
図１２は、ウェアラブルカメラ１０が保持する録画映像リストのデータ構造の一例を示す模式図である。
【０１３４】
ウェアラブルカメラ１０は、録画中又は録画後に、属性情報付与スイッチＳＷ３の操作入力を検出すると、録画対象の映像データに関連する属性情報を生成し、属性情報を含むメタ情報を記憶部１５に記憶する。即ち、記憶部１５に記憶される録画データには、映像データとメタ情報とが含まれる。ウェアラブルカメラ１０は、サーバＳＶ１〜ＳＶ３に映像データを転送する場合、映像データとメタ情報とを含む録画データを転送して蓄積する。尚、映像データとメタ情報とが別々に転送されてもよい。
【０１３５】
映像データに関連するメタ情報は、例えば、図１２に示すような録画映像リストの形で記憶される。録画映像リストのメタ情報は、映像位置情報（映像時刻情報）、Ｃａｒ  ＩＤ、Ｏｆｆｉｃｅｒ  ＩＤ、事件カテゴリ、録画開始要因、その他、の情報を含む。
【０１３６】
映像データとメタ情報とは、映像データＩＤによって紐付けされる。映像データＩＤは、録画された映像データを識別するための識別情報である。映像データＩＤは、例えば、録画開始時、録画中、又は録画終了時に映像データに対して付与される。映像データＩＤは、例えば、映像データの録画開始時刻、ファイル名、その他のＩＤを含む。
【０１３７】
映像位置情報は、メタ情報が映像データに対して付与された時刻情報であり、つまり、属性情報付与スイッチＳＷ３の操作入力が検出された時刻（属性情報付与時ともいう）の情報である。
【０１３８】
Ｃａｒ  ＩＤは、個々のパトカー６を識別するための識別情報である。Ｏｆｆｉｃｅｒ  ＩＤは、ウェアラブルカメラ１０を使用する警察官７の識別情報である。Ｃａｒ  ＩＤとＯｆｆｉｃｅｒ  ＩＤとが設定されることで、どのパトカー６を使用するどの警察官７が、ウェアラブルカメラ１０を用いて映像データを録画したかを判別できる。
【０１３９】
事件カテゴリは、映像データの種別を識別するための分類情報であり、図１０に示した属性情報の設定内容に基づき、属性選択スイッチＳＷ４に従って付与される。
【０１４０】
録画開始要因は、映像データの録画が開始された要因を示す。録画開始要因は、例えば、録画スイッチＳＷ１又はスナップショットスイッチＳＷ２の押下検出、ウェアラブルカメラ１０が備えるセンサ（図示せず、例えば加速度センサ）、ＲＴＣ１７、又はＧＰＳ１８の情報に基づく録画開始トリガの検出、車載システム連動、を含む。
【０１４１】
車載システム連動は、車載システム６０とウェアラブルカメラ１０とが連携し、車載レコーダ６２からの録画開始指示に応じて、ウェアラブルカメラ１０が録画開始したことを示す。
【０１４２】
その他の情報は、例えば、ＧＰＳ情報を含む。ＧＰＳ情報は、映像データの録画が行われた場所を示す位置情報であり、例えば属性情報付与時の現在位置情報をＧＰＳ１８から取得して付与する。
【０１４３】
上記のウェアラブルカメラ１０が付与するメタ情報は、例えば、ＭＣＵ１９の処理によって付与され、ウェアラブルカメラ１０により撮像された映像データと関連付けて記憶部１５に記憶される。
【０１４４】
尚、図１２では図示していないが、１つの映像データ、つまり１つの映像データＩＤに対して、１つ以上のメタ情報が付与されてもよい。例えば、警察官７が飲酒運転の取り締まり中に、薬物乱用の場面に遭遇した場合、映像データの録画を継続したまま属性情報付与スイッチＳＷ３を２回、操作入力することで、ウェアラブルカメラ１０は、１つの映像データに対してメタ情報を２つ付与できる。
【０１４５】
図１３は、車載レコーダ６２が保持する録画映像リストのデータ構造の一例を示す模式図である。
【０１４６】
車載レコーダ６２が保持する録画映像リストについても、映像データに対する属性情報を含むメタ情報を含む。メタ情報の内容は、図１２に示したメタ情報の内容と同様である。
【０１４７】
ただし、車載レコーダ６２は、ウェアラブルカメラ１０が付与する属性情報よりも多種類の属性情報（事件カテゴリ）を付与可能である。また、車載レコーダ６２は、録画開始要因の情報として、属性情報の付与ボタンの押下検出、車載システム６０が備えるセンサ（図示せず、例えば、速度センサ、加速度センサ、扉開閉センサ）、ＲＴＣ１７、又はＧＰＳ１０７の情報に基づく録画開始トリガの検出、ＷＣＡＭ連動、を含む。
【０１４８】
ＷＣＡＭ連動は、車載システム６０とウェアラブルカメラ１０とが連携し、ウェアラブルカメラ１０からの録画開始指示に応じて、車載レコーダ６２の指示により車載カメラ６１が録画開始したことを示す。
【０１４９】
上記の車載レコーダ６２が付与するメタ情報は、例えば、ＣＰＵ１０１の処理によって付与され、車載カメラ６１により撮像された映像データと関連付けて記憶部１５に記憶される。
【０１５０】
次に、ウェアラブルカメラシステム１００の動作モードについて説明する。
【０１５１】
動作モードは、例えば、各警察署５の運用方針に応じて定められ、署内ＰＣ７１により管理ソフトウェア７０を実行して設定される。動作モードは、Ｏｆｆｉｃｅｒモード及びＣａｒモードを含む。
【０１５２】
動作モードの設定情報は、署内ＰＣ７１から車載レコーダ６２に転送され、車載レコーダ６２のフラッシュＲＯＭ１０４等に保持され、署内ＰＣ７１からウェアラブルカメラ１０に転送され、ウェアラブルカメラ１０のＥＥＰＲＯＭ１６等に保持される。
【０１５３】
Ｏｆｆｉｃｅｒモードは、例えば、警察官７と、警察官７が乗車するパトカー６との組み合わせが、出動の度に毎回異なる運用において採用され、署内ＰＣ７１により設定される。Ｃａｒモードは、警察官７と、警察官７が乗車するパトカー６とが、出動の度に毎回同じである運用において採用され、署内ＰＣ７１により設定される。尚、動作モードは、警察署５の運用方針により定められるので、変更される頻度は低い。
【０１５４】
Ｏｆｆｉｃｅｒモードでは、警察官７とパトカー６との組み合わせが毎回変化するので、Ｃａｒ  ＩＤを用いても警察官７を識別することができない。そのため、Ｏｆｆｉｃｅｒモードでは、警察官７が警察署５から出動する際の署内ＰＣ７１による設定登録や車載ＰＣ６３によるログインにより、少なくともＯｆｆｉｃｅｒ  ＩＤが、ウェアラブルカメラ１０のＥＥＰＲＯＭ１６等及び車載レコーダ６２のフラッシュＲＯＭ１０４等にセットされる。
【０１５５】
これにより、車載レコーダ６２が保持するＯｆｆｉｃｅｒ  ＩＤとウェアラブルカメラ１０が保持するＯｆｆｉｃｅｒ  ＩＤとが照合されることで、警察官７及び警察官７が使用するパトカー６のいずれも識別できる。
【０１５６】
尚、同じ警察官７が、出動の度に毎回同じウェアラブルカメラ１０を使用する場合には、署内ＰＣ７１は、最初に一回、ウェアラブルカメラ１０の使用者の識別情報（Ｏｆｆｉｃｅｒ  ＩＤ）を設定登録すればよい。
【０１５７】
Ｃａｒモードでは、警察官７とパトカー６との組み合わせが変化しないので、Ｃａｒ  ＩＤとＯｆｆｉｃｅｒ  ＩＤとが対応し、Ｃａｒ  ＩＤを用いて警察官７を識別することができる。そのため、Ｃａｒモードでは、警察官７が警察署５から出動する際の署内ＰＣ７１による設定登録や車載ＰＣ６３によるログインにより、少なくともＣａｒ  ＩＤが、ウェアラブルカメラ１０のＥＥＰＲＯＭ１６等及び車載レコーダ６２のフラッシュＲＯＭ１０４等にセットされる。
【０１５８】
これにより、車載レコーダ６２が保持するＣａｒ  ＩＤとウェアラブルカメラ１０が保持するＣａｒ  ＩＤとが照合されることで、警察官７及び警察官７が使用するパトカー６のいずれも識別できる。
【０１５９】
尚、同じ警察官７が、出動の度に毎回同じパトカー６を使用する場合には、署内ＰＣ７１は、最初に一回、警察官７が使用するパトカー６の識別情報（Ｃａｒ  ＩＤ）を設定登録すればよい。
【０１６０】
次に、ウェアラブルカメラシステム１００の動作例について説明する。
【０１６１】
図１４は、車載レコーダ６２により通信相手としての特定のウェアラブルカメラ１０を探索する場合の動作例を示すフローチャートである。ここでは、無線ＬＡＮ通信による通信相手の検出を例示するが、他の方法で通信相手を検出してもよい。
【０１６２】
警察官７が出動する際には、パトカー６内に複数の警察官７が乗車し、各警察官７がウェアラブルカメラ１０を所持することが想定される。この場合でも、図１４の処理により、車載レコーダ６２は、複数のウェアラブルカメラ１０の中から無線接続の対象となるウェアラブルカメラ１０を特定可能である。尚、車載レコーダ６２は、検出される１台のウェアラブルカメラ１０が、無線接続すべきウェアラブルカメラであるか否かを認証することで、無線接続の対象となる車載レコーダ６２を特定してもよい。
【０１６３】
まず、無線通信部１０２は、無線ネットワーク上で、少なくとも１つのウェアラブルカメラ１０を検出する（Ｓ１１）。尚、ウェアラブルカメラ１０は、「ＷＣＡＭ」とも記載される。
【０１６４】
ＣＰＵ１０１は、検出されたウェアラブルカメラ１０のうち、例えばＳＳＩＤとパスワード（暗号化キー）とを用いて照合し、無線接続可能なウェアラブルカメラ１０であるか否かを判定する（Ｓ１２）。無線接続不可能なウェアラブルカメラ１０である場合、Ｓ１１へ進む。
【０１６５】
無線接続可能なウェアラブルカメラ１０である場合、ＣＰＵ１０１は、例えばフラッシュＲＯＭ１０４に保持され、予め設定されたウェアラブルカメラシステム１００の動作モードを参照し、Ｏｆｆｉｃｅｒモードであるか、Ｃａｒモードであるか、を判定する（Ｓ１３）。
【０１６６】
Ｓ１３において、ウェアラブルカメラシステム１００の動作モードがＯｆｆｉｃｅｒモードである場合、無線通信部１０２は、ウェアラブルカメラ１０からＯｆｆｉｃｅｒ  ＩＤを取得する（Ｓ１４）。
【０１６７】
ＣＰＵ１０１は、フラッシュＲＯＭ１０４等に保持されたＯｆｆｉｃｅｒ  ＩＤと、ウェアラブルカメラ１０から取得されたＯｆｆｉｃｅｒ  ＩＤと、が一致するか否かを判定する（Ｓ１５）。両者が一致しない場合、Ｓ１１に進む。
【０１６８】
ＣＰＵ１０１は、上記Ｏｆｆｉｃｅｒ  ＩＤが一致する場合、検出されたウェアラブルカメラ１０を、通信相手としてのウェアラブルカメラ１０として特定する（Ｓ１６）。そして、無線通信部１０２は、車載レコーダ６２及び特定されたウェアラブルカメラ１０との間で、通信リンクを確立する。
【０１６９】
Ｓ１３において、ウェアラブルカメラシステム１００の動作モードがＣａｒモードである場合、無線通信部１０２は、ウェアラブルカメラ１０からＣａｒ  ＩＤを取得する（Ｓ１７）。
【０１７０】
ＣＰＵ１０１は、フラッシュＲＯＭ１０４等に保持されたＣａｒ  ＩＤと、ウェアラブルカメラ１０から取得されたＣａｒ  ＩＤと、が一致するか否かを判定する（Ｓ１８）。両者が一致しない場合、Ｓ１１に進む。
【０１７１】
ＣＰＵ１０１は、上記Ｃａｒ  ＩＤが一致する場合、検出されたウェアラブルカメラ１０を、通信相手としてのウェアラブルカメラ１０として特定する（Ｓ１９）。そして、無線通信部１０２は、車載レコーダ６２及び特定されたウェアラブルカメラ１０との間で、通信リンクを確立する。
【０１７２】
尚、Ｓ１６又はＳ１９において、通信相手が導出されると、ＣＰＵ１０１は、図１５に示す管理テーブルＴ１を生成する。
【０１７３】
図１５は、通信相手（ペア）として導出されたウェアラブルカメラ１０に関する情報が保持された管理テーブルＴ１の一例を示す模式図である。管理テーブルＴ１は、ウェアラブルカメラ１０（ＷＣＡＭ）の識別情報や名称、ウェアラブルカメラ１０へアクセスするためのＩＰアドレス、ウェアラブルカメラ１０が通信相手として選択されたか否か（Ｙｅｓ／Ｎｏ）、の情報を保持する。通信相手として選択された場合には「Ｙｅｓ」、通信相手として選択されなかった場合には「Ｎｏ」がセットされる。管理テーブルＴ１には、Ｓ１１において検出されたウェアラブルカメラ１０の情報が保持される。
【０１７４】
管理テーブルＴ１では、複数のウェアラブルカメラ１０（ＷＣＡＭ−１，ＷＣＡＭ−２，ＷＣＡＭ−５，ＷＣＡＭ−８，ＷＣＡＭ−１２）のうち、ＷＣＡＭ−２が通信相手としてのウェアラブルカメラ１０に特定されたことを例示している（図１５、図１７参照）。
【０１７５】
図１４の処理によれば、警察署５の運用に適した識別情報を用いて、通信リンクを確立すべき車載レコーダ６２及び特定のウェアラブルカメラ１０を探索できる。この場合でも、警察官７と、警察官７が使用するパトカー６と、ウェアラブルカメラ１０と、を紐付けできる。
【０１７６】
尚、ＣＰＵ１０１は、１台のウェアラブルカメラ１０が検出された時点で、ＳＳＩＤとパスワードとを用いた照合により、検出されたウェアラブルカメラ１０を通信相手として特定してもよい。つまり、Ｓ１３以下が省略されてもよい。
【０１７７】
図１６は、ウェアラブルカメラ１０により通信相手としての車載レコーダ６２を探索する場合の動作例を示すフローチャートである。ここでは、無線ＬＡＮ通信による通信相手の検出を例示するが、他の方法で通信相手を検出してもよい。
【０１７８】
警察官７が出動する際には、パトカー６内には車載レコーダ６２が１台であることが多いので、ウェアラブルカメラ１０は、検出される１台の車載レコーダ６２が、無線接続すべき車載レコーダ６２であるか否かを認証することで、無線接続の対象となる車載レコーダ６２を特定可能である。尚、パトカー６内に車載レコーダ６２が複数存在する場合や現場８に複数のパトカー６が集合することも想定される。この場合に、ウェアラブルカメラ１０は、複数の車載レコーダ６２の中から、無線接続の対象となる車載レコーダ６２を特定してもよい。
【０１７９】
まず、通信部２１は、無線ネットワーク上で、車載レコーダ６２を検出する（Ｓ２１）。
【０１８０】
ＭＣＵ１９は、検出された車載レコーダ６２について、例えばＳＳＩＤとパスワード（暗号化キー）とを用いて照合し、無線接続可能な車載レコーダ６２であるか否かを判定する（Ｓ２２）。無線接続不可能な車載レコーダ６２である場合、Ｓ２１に進む。
【０１８１】
無線接続可能な車載レコーダ６２である場合、ＭＣＵ１９は、例えばＥＥＰＲＯＭ１６に保持され、予め設定されたウェアラブルカメラシステム１００の動作モードを参照し、Ｏｆｆｉｃｅｒモードであるか、Ｃａｒモードであるか、を判定する（Ｓ２３）。
【０１８２】
Ｓ２３において、ウェアラブルカメラシステム１００の動作モードがＯｆｆｉｃｅｒモードである場合、通信部２１は、車載レコーダ６２からＯｆｆｉｃｅｒ  ＩＤを取得する（Ｓ２４）。
【０１８３】
ＭＣＵ１９は、ＥＥＰＲＯＭ１６等に保持されたＯｆｆｉｃｅｒ  ＩＤと、車載レコーダ６２から取得されたＯｆｆｉｃｅｒ  ＩＤと、が一致するか否かを判定する（Ｓ２５）。両者が一致しない場合、Ｓ２１に進む。
【０１８４】
ＭＣＵ１９は、上記Ｏｆｆｉｃｅｒ  ＩＤが一致する場合、検出された車載レコーダ６２を、通信相手としての車載レコーダ６２として特定する（Ｓ２６）。そして、通信部２１は、特定された車載レコーダ６２及びウェアラブルカメラ１０との間で、通信リンクを確立する。
【０１８５】
Ｓ２３において、ウェアラブルカメラシステム１００の動作モードがＣａｒモードである場合、通信部２１は、車載レコーダ６２からＣａｒ  ＩＤを取得する（Ｓ２７）。
【０１８６】
ＭＣＵ１９は、ＥＥＰＲＯＭ１６等に保持されたＣａｒ  ＩＤと、車載レコーダ６２から取得されたＣａｒ  ＩＤと、が一致するか否かを判定する（Ｓ２８）。両者が一致しない場合、Ｓ２１に進む。
【０１８７】
ＭＣＵ１９は、ＥＥＰＲＯＭ１６等に保持されたＣａｒ  ＩＤと、車載レコーダ６２から取得されたＣａｒ  ＩＤと、が一致する場合、検出された車載レコーダ６２を、通信相手としての車載レコーダ６２として特定する（Ｓ２９）。そして、通信部２１は、特定された車載レコーダ６２及びウェアラブルカメラ１０との間で、通信リンクを確立する。
【０１８８】
尚、Ｓ２６又はＳ２９において、通信相手が導出されると、ＭＣＵ１９は、特に図示はしないが、図１４に示した管理テーブルＴ１と同様の管理テーブルを生成する。この管理テーブルは、車載レコーダ６２の識別情報や名称、車載レコーダ６２へアクセスするためのＩＰアドレス、車載レコーダ６２が通信相手として選択されたか否か（Ｙｅｓ／Ｎｏ）、の情報を保持する。この管理テーブルには、Ｓ２１において検出されたウェアラブルカメラ１０の情報が保持される。
【０１８９】
図１６の処理によれば、警察署５の運用に適した識別情報を用いて、通信リンクを確立すべき特定の車載レコーダ６２及びウェアラブルカメラ１０を探索できる。この場合でも、警察官７と、警察官７が使用するパトカー６と、ウェアラブルカメラ１０と、を紐付けできる。
【０１９０】
尚、ＭＣＵ１９は、１台の車載レコーダ６２が検出された時点で、ＳＳＩＤとパスワードとを用いた照合により、検出された車載レコーダ６２を通信相手として特定してもよい。つまり、Ｓ２３以下が省略されてもよい。
【０１９１】
図１７は、ウェアラブルカメラ１０が車載システム連動により録画開始する場合のウェアラブルカメラシステム１００の動作例を示すシーケンス図である。
【０１９２】
尚、図１７では、車載レコーダ６２とウェアラブルカメラ１０とが無線ＬＡＮにより無線接続されることを例示するが、他の方法により無線接続されてもよいし、有線接続されてもよい。
【０１９３】
車載レコーダ６２では、ＣＰＵ１０１が、録画開始トリガを検出すると、車載カメラ６１により撮像された映像データの録画を開始し、ＳＳＤ１１１への映像データの記憶を開始させる（Ｓ３１）。
【０１９４】
車載レコーダ６２の録画開始トリガは、例えば、ボタン１０９の押下検出、ＣＰＵ１０１によるパトカー６のパトランプの点灯鳴動開始の検出、速度センサによるパトカー６の走行速度が所定速度（例えば１００ｋｍ／ｈ）以上であることの検出、加速度センサによる衝撃の検出（つまり所定閾値以上の加速度の変化の検出）、無線通信部１０２によるウェアラブルカメラ１０との通信が不能な通信圏外であることの検出、を含む。
【０１９５】
ＣＰＵ１０１は、映像データの録画を開始すると、前述した通信相手の探索処理の結果を示す管理テーブルＴ１を参照し、通信相手としてのウェアラブルカメラ１０の情報を取得する（Ｓ３２）。取得されるウェアラブルカメラ１０の情報は、管理テーブルＴ１に保持されたウェアラブルカメラ１０の情報の少なくとも一部を含む。
【０１９６】
無線通信部１０２は、情報が取得されたウェアラブルカメラ１０、つまり特定のウェアラブルカメラ１０（例えばＷＣＡＭ−２）へ、録画を開始した旨を含む録画開始メッセージ（例えば「ＲＥＣ  ＳＴＡＲＴ」のメッセージ）を通知する（Ｓ３３）。
【０１９７】
特定のウェアラブルカメラ１０（例えばＷＣＡＭ−２）では、通信部２１は、車載レコーダ６２から録画開始メッセージを受信すると、ＭＣＵ１９は、撮像部１１により撮像された映像データの録画を開始し、記憶部１５への映像データの記憶を開始させる（Ｓ３４）。
【０１９８】
このように、車載レコーダ６２の録画開始と連携して特定のウェアラブルカメラ１０の録画を開始する。これにより、例えば、警察官７が緊急対応のために特定のウェアラブルカメラ１０の録画スイッチＳＷ１又はスナップショットスイッチＳＷ２による録画開始操作を失念した場合でも、現場８の映像データを記録し、後のタイミングにおいて確認できる。
【０１９９】
尚、車載レコーダ６２は、例えば、通信相手となる特定のウェアラブルカメラ１０が導出された際に、車載レコーダ６２と特定のウェアラブルカメラ１０との距離が長く、無線ＬＡＮによる通信圏外である場合、録画開始メッセージを無線接続の復帰後に送信してもよい。
【０２００】
また、特定のウェアラブルカメラ１０は、録画開始メッセージを受信した後に直ぐに録画開始しなくてもよい。例えば、特定のウェアラブルカメラ１０は、パトカー６の走行中に録画開始メッセージを受信した時点では録画開始せず、パトカー６を離れて車載レコーダ６２との無線接続が切断されたことを検出した際に、録画開始してもよい。これにより、録画された映像データを蓄積する記憶部１５のリソースを効率良く使用できる。
【０２０１】
図１８は、車載レコーダ６２がＷＣＡＭ連動により録画開始する場合のウェアラブルカメラシステム１００の動作例を示すシーケンス図である。
【０２０２】
尚、図１８では、車載レコーダ６２とウェアラブルカメラ１０とが無線ＬＡＮにより無線接続されることを例示するが、他の方法により無線接続されてもよいし、有線接続されてもよい。
【０２０３】
ウェアラブルカメラ１０では、ＭＣＵ１９が、録画開始トリガを検出すると、撮像部１１により撮像された映像データの録画を開始し、記憶部１５への映像データの記憶を開始させる（Ｓ４１）。
【０２０４】
ウェアラブルカメラ１０の録画開始トリガは、例えば、ＭＣＵ１９による録画スイッチＳＷ１又はスナップショットスイッチＳＷ２の押下検出、通信部２１による車載レコーダ６２とウェアラブルカメラ１０との無線接続が切断されたことの検出、加速度センサによる衝撃の検出（つまり所定閾値以上の加速度の変化の検出）、ＧＰＳ１８による警察官７が所定のエリアに所在することの検出、ＧＰＳ１８による警察官７が走り出したことの検出、を含む。この加速度センサによる衝撃の検出は、例えば、警察官７が走り出したこと、転倒したことの検出を含む。
【０２０５】
ＭＣＵ１９は、映像データの録画を開始すると、前述した通信相手の探索処理の結果を示す管理テーブル（不図示）を参照し、通信相手としての車載レコーダ６２の情報を取得する（Ｓ４２）。取得される車載レコーダ６２の情報は、不図示の管理テーブルに保持された車載レコーダ６２の情報の少なくとも一部を含む。
【０２０６】
通信部２１は、情報が取得された車載レコーダ６２、つまり特定の車載レコーダ６２へ、録画を開始した旨を含む録画開始メッセージ（例えば「ＲＥＣ  ＳＴＡＲＴ」のメッセージ）を通知する（Ｓ４３）。
【０２０７】
特定の車載レコーダ６２では、無線通信部１０２は、ウェアラブルカメラ１０から録画開始メッセージを受信すると、ＣＰＵ１０１は、車載カメラ６１により撮像された映像データの録画を開始し、ＳＳＤ１１１への映像データの記憶を開始させる（Ｓ４４）。
【０２０８】
このように、ウェアラブルカメラ１０の録画開始と連携して特定の車載レコーダ６２の録画を開始する。これにより、例えば、警察官７がパトカー６内でボタン１０９による録画開始操作を失念した場合でも、現場８の映像データを記録し、後のタイミングにおいて確認できる。
【０２０９】
このように、本実施形態では、録画開始のために連携する通信相手を、例えば、警察署５の運用に応じて、パトカー６やウェアラブルカメラ１０の使用の仕方に応じて、少ない情報（例えばＯｆｆｉｃｅｒ  ＩＤ又はＣａｒ  ＩＤ）で導出できる。従って、通信相手を導出するための手間及び時間を低減できる。
【０２１０】
また、ウェアラブルカメラ１０と車載レコーダ６２とが連携して録画開始するので、ウェアラブルカメラ１０及び車載レコーダ６２のいずれか一方において録画開始がされなかった場合でも、ウェアラブルカメラ１０及び車載レコーダ６２のいずれか他方からの録画開始メッセージに応じて、録画開始できる。
【０２１１】
従って、例えば警察官７が緊急対応のため急いでおり、ウェアラブルカメラ１０の録画スイッチＳＷ１の操作入力を失念した場合又は入力できない状態であった場合でも、車載レコーダ６２において録画開始トリガが発生した場合にはウェアラブルカメラ１０での録画も開始できる。
【０２１２】
このように、ウェアラブルカメラシステム１００によれば、ウェアラブルカメラ１０により撮像された映像データを取扱う際の利便性を向上できる。更に、映像データに特定の期間の抜けが発生することを抑制でき、現場８の監視性能や映像データの証拠性能を向上できる。
【０２１３】
以上のように、本実施形態のウェアラブルカメラシステム１００は、ユーザが装着可能なウェアラブルカメラ１０と、ユーザが乗車する車両に搭載された車載レコーダ６２と、車両に搭載された車載カメラ６１と、を備える。車載カメラ６１は、映像を撮像する第１の撮像部を備える。車載レコーダ６２は、ウェアラブルカメラシステム１００の動作モードに基づいて、複数のウェアラブルカメラ１０から、映像データの録画を連携するための通信相手としての特定のウェアラブルカメラ１０を導出する第１の導出部と、特定のウェアラブルカメラ１０との間で通信する第１の通信部と、車載カメラ６１により撮像された第１の映像データを録画する第１の録画部と、を備える。ウェアラブルカメラ１０は、映像を撮像する第２の撮像部と、通信相手としての車載レコーダとの間で通信する第２の通信部と、第２の撮像部により撮像された第２の映像データを録画する第２の録画部と、を備える。
【０２１４】
第１の導出部は、例えばＣＰＵ１０１である。第１の通信部は、例えば無線通信部１０２又は有線通信部１０３である。第１の録画部は、例えばＣＰＵ１０１である。第２の撮像部は、例えば撮像部１１である。第２の通信部は、例えば通信部２１である。第２の録画部は、例えばＭＣＵ１９である。ユーザは、例えば警察官７である。車両は、例えばパトカー６である。
【０２１５】
これにより、ウェアラブルカメラ１０と車載レコーダ６２とが連携して映像データを録画するための通信相手を、動作モード（例えばウェアラブルカメラシステム１００の運用基準）に応じて選定できる。従って、特定のウェアラブルカメラ１０と車載レコーダ６２とが連携して録画開始できるので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２１６】
また、ウェアラブルカメラシステム１００は、動作モードとして、ユーザの識別情報が車載レコーダ６２に保持される第１の動作モードが設定されている場合、車載レコーダ６２は、ウェアラブルカメラ１０からユーザの識別情報を受信してもよい。また、車載レコーダ６２は、ウェアラブルカメラ１０から受信されたユーザの識別情報と、車載レコーダ６２に保持されたユーザの識別情報と、が一致する場合、一致するユーザの識別情報を保持するウェアラブルカメラを、特定のウェアラブルカメラ１０として導出してもよい。
【０２１７】
第１の動作モードは、例えばＯｆｆｉｃｅｒモードである。ユーザの識別情報は、例えばＯｆｆｉｃｅｒ  ＩＤである。
【０２１８】
例えば、ユーザと車両との組み合わせが頻繁に変更される運用（第１の動作モード）では、ウェアラブルカメラ１０にユーザを識別するための情報が少なくとも格納される。この場合でも、ユーザの識別情報を用いて車両とウェアラブルカメラ１０とを使用するユーザの一致を確認でき、ユーザが使用する車両に搭載された車載レコーダ６２とウェアラブルカメラ１０とを紐付けて通信相手とすることができる。
【０２１９】
また、ウェアラブルカメラシステム１００は、動作モードとして、車両の識別情報が車載レコーダ６２に保持される第２の動作モードが設定されている場合、車載レコーダ６２は、ウェアラブルカメラ１０から車両の識別情報を受信してもよい。また、車載レコーダ６２は、ウェアラブルカメラ１０から受信された車両の識別情報と、車載レコーダ６２に保持された車両の識別情報と、が一致する場合、一致する車両の識別情報を保持するウェアラブルカメラ１０を、特定のウェアラブルカメラ１０として導出してもよい。
【０２２０】
第２の動作モードは、例えばＣａｒモードである。車両の識別情報は、例えばＣａｒ  ＩＤである。
【０２２１】
例えば、ユーザと車両との組み合わせがあまり変更されない運用（第２の動作モード）では、ウェアラブルカメラ１０に車両を識別するための情報が少なくとも格納される。この場合でも、車両の識別情報を用いて車両とウェアラブルカメラ１０とを使用するユーザの一致を確認でき、ユーザが使用する車両に搭載された車載レコーダ６２とウェアラブルカメラ１０とを紐付けて通信相手とすることができる。
【０２２２】
また、ウェアラブルカメラシステム１００は、車載レコーダ６２が、第１の映像データの録画を開始し、録画を開始した旨を含む録画開始情報を、特定のウェアラブルカメラ１０へ送信してもよい。特定のウェアラブルカメラ１０は、録画開始情報を受信した後に、第２の映像データの録画を開始してもよい。
【０２２３】
これにより、特定のウェアラブルカメラ１０と車載レコーダ６２とが連携して録画開始できるので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２２４】
また、本実施形態のウェアラブルカメラシステム１００は、ユーザが装着可能なウェアラブルカメラ１０と、ユーザが乗車する車両に搭載される車載レコーダ６２と、車両に搭載された車載カメラ６１と、を備える。車載カメラ６１は、映像を撮像する第１の撮像部を備える。車載レコーダ６２は、ウェアラブルカメラ１０との間で通信する第１の通信部と、車載カメラ６１により撮像された映像データを録画する第１の録画部と、を備える。ウェアラブルカメラ１０は、映像を撮像する第２の撮像部と、ウェアラブルカメラシステム１００の動作モードに基づいて、複数の車載レコーダ６２から、映像データの録画を連携するための通信相手としての特定の車載レコーダ６２を導出する第２の導出部と、特定の車載レコーダ６２との間で通信する第２の通信部と、第２の撮像部により撮像された映像データを録画する第２の録画部と、を備える。第２の導出部は、例えばＭＣＵ１９である。
【０２２５】
これにより、ウェアラブルカメラ１０と車載レコーダ６２とが連携して映像データを録画するための通信相手を、動作モード（例えばウェアラブルカメラシステム１００の運用基準）に応じて選定できる。従って、ウェアラブルカメラ１０と特定の車載レコーダ６２とが連携して録画開始できるので、ウェアラブルカメラ１０及び特定の車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２２６】
また、ウェアラブルカメラシステム１００は、動作モードとして、ユーザの識別情報がウェアラブルカメラ１０に保持される第３の動作モードが設定されている場合、ウェアラブルカメラ１０は、車載レコーダ６２からユーザの識別情報を受信し、車載レコーダ６２から受信されたユーザの識別情報と、ウェアラブルカメラ１０に保持されたユーザの識別情報と、が一致する場合、一致するユーザの識別情報を保持する車載レコーダ６２を、特定の車載レコーダ６２として導出してもよい。第３の動作モードは、例えばＯｆｆｉｃｅｒモードである。
【０２２７】
これにより、例えば、ユーザと車両との組み合わせが頻繁に変更される運用（第３の動作モード）では、ウェアラブルカメラ１０にユーザを識別するための情報が少なくとも格納される。この場合でも、ユーザの識別情報を用いて車両とウェアラブルカメラ１０とを使用するユーザの一致を確認でき、ユーザが使用する車両に搭載された車載レコーダ６２とウェアラブルカメラ１０とを紐付けて通信相手とすることができる。
【０２２８】
また、ウェアラブルカメラシステム１００は、動作モードとして、車両の識別情報がウェアラブルカメラ１０に保持される第４の動作モードが設定されている場合、ウェアラブルカメラ１０は、車載レコーダ６２から車両の識別情報を受信してもよい。車載レコーダ６２から受信された車両の識別情報と、ウェアラブルカメラ１０に保持された車両の識別情報と、が一致する場合、一致する車両の識別情報を保持する車載レコーダ６２を、特定の車載レコーダ６２として導出してもよい。第４の動作モードは、例えばＣａｒモードである。
【０２２９】
例えば、ユーザと車両との組み合わせがあまり変更されない運用（第４の動作モード）では、ウェアラブルカメラ１０に車両を識別するための情報が少なくとも格納される。この場合でも、車両の識別情報を用いて車両とウェアラブルカメラ１０とを使用するユーザの一致を確認でき、ユーザが使用する車両に搭載された車載レコーダ６２とウェアラブルカメラ１０とを紐付けて通信相手とすることができる。
【０２３０】
また、ウェアラブルカメラシステム１００は、ウェアラブルカメラ１０が、第２の映像データの録画を開始し、録画を開始した旨を含む録画開始情報を、特定の車載レコーダ６２へ送信してもよい。特定の車載レコーダ６２は、録画開始情報を受信した後に、第１の映像データの録画を開始してもよい。
【０２３１】
これにより、ウェアラブルカメラ１０と特定の車載レコーダ６２とが連携して録画開始できるので、ウェアラブルカメラ１０及び特定の車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２３２】
また、本実施形態の録画制御方法は、ユーザが装着可能なウェアラブルカメラ１０と、ユーザが乗車する車両に搭載された車載レコーダ６２と、車両に搭載された車載カメラ６１と、を備えるウェアラブルカメラシステム１００における方法である。この録画制御方法は、車載カメラ６１により映像を撮像するステップと、ウェアラブルカメラ１０により映像を撮像するステップと、車載レコーダ６２により、ウェアラブルカメラシステム１００の動作モードに基づいて、複数のウェアラブルカメラ１０から、映像データの録画を連携するための通信相手としての特定のウェアラブルカメラ１０を導出するステップと、車載レコーダ６２により、車載カメラ６１により撮像された第１の映像データの録画を開始するステップと、車載レコーダ６２により、録画を開始した旨を含む録画開始情報を、特定のウェアラブルカメラ１０へ送信するステップと、特定のウェアラブルカメラ１０により、録画開始情報を受信した後に、特定のウェアラブルカメラ１０により撮像された第２の映像データの録画を開始するステップと、を備える。
【０２３３】
これにより、ウェアラブルカメラ１０と車載レコーダ６２とが連携して映像データを録画するための通信相手を、動作モード（例えばウェアラブルカメラシステム１００の運用基準）に応じて選定できる。従って、特定のウェアラブルカメラ１０と車載レコーダ６２とが連携して録画開始できるので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２３４】
また、本実施形態の録画制御方法は、ユーザが装着可能なウェアラブルカメラと、前記ユーザが乗車する車両に搭載された車載レコーダ６２と、車両に搭載された車載カメラ６１と、を備えるウェアラブルカメラシステムにおける方法である。この録画制御方法は、車載カメラ６１により映像を撮像するステップと、ウェアラブルカメラ１０により映像を撮像する撮像ステップと、ウェアラブルカメラ１０により、ウェアラブルカメラシステム１００の動作モードに基づいて、複数の車載レコーダ６２から、映像データの録画を連携するための通信相手としての特定の車載レコーダ６２を導出するステップと、ウェアラブルカメラ１０により、ウェアラブルカメラ１０により撮像された第２の映像データの録画を開始するステップと、ウェアラブルカメラ１０により、録画を開始した旨を含む録画開始情報を、特定の車載レコーダ６２へ送信するステップと、特定の車載レコーダ６２により、録画開始情報を受信した後に、車載カメラ６１により撮像された第１の映像データの録画を開始するステップと、を備える。
【０２３５】
これにより、ウェアラブルカメラ１０と車載レコーダ６２とが連携して映像データを録画するための通信相手を、動作モード（例えばウェアラブルカメラシステム１００の運用基準）に応じて選定できる。従って、ウェアラブルカメラ１０と特定の車載レコーダ６２とが連携して録画開始できるので、ウェアラブルカメラ１０及び特定の車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。また、例えば、映像データに特定の期間の抜けが発生することを抑制でき、現場８の監視性能や映像データの証拠性能を向上できる。
【０２３６】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【０２３７】
本発明は、ウェアラブルカメラや車載カメラにより撮像した映像データを取扱う上での利便性を向上でき、映像データの録画漏れを低減できるウェアラブルカメラシステム及び録画制御方法等として有用である。
【符号の説明】
【０２３８】
１００  ウェアラブルカメラシステム
１００Ａ  フロントエンドシステム
１００Ｂ  バックエンドシステム
５  警察署
６  パトカー
７  警察官
８  現場
１０  ウェアラブルカメラ
１０Ａ  ウェアラブルカメラの筐体
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２２ａ  ＵＳＢコネクタ
２３  コンタクトターミナル
２４  電源部
２５  バッテリ
２６ａ，２６ｂ，２６ｃ  ＬＥＤ
２７  バイブレータ
６０  車載システム
６１  車載カメラ
６２  車載レコーダ
６３  車載ＰＣ
７０  管理ソフトウェア
７１  署内ＰＣ
１０１  ＣＰＵ
１０２  無線通信部
１０３  有線通信部
１０４  フラッシュＲＯＭ
１０５  ＲＡＭ
１０６  μＣＯＮ
１０７  ＧＰＳ
１０８  ＧＰＩＯ
１０９  ボタン
１１０  ＬＥＤ
１１１  ＳＳＤ
１１２  ＲＳ−２３２Ｃ接続部
２０１  ＣＰＵ
２０２  Ｉ／Ｏ制御部
２０３  通信部
２０４  メモリ
２０５  入力部
２０６  表示部
２０７  スピーカ
２０８  ＨＤＤ
ＳＶ１，ＳＶ２，ＳＶ３  サーバ
ＳＷ１  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ
【要約】
【課題】ウェアラブルカメラや車載カメラにより撮像した映像データを取扱う上での利便性を向上でき、映像データの録画漏れを低減できるウェアラブルカメラシステムを提供する。
【解決手段】ウェアラブルカメラシステムは、ユーザが装着可能なウェアラブルカメラと、ユーザが乗車する車両に搭載された車載レコーダと、車両に搭載された車載カメラと、を備える。車載レコーダは、ウェアラブルカメラシステムの動作モードに基づいて、複数のウェアラブルカメラから、車載カメラにより撮像された映像データとウェアラブルカメラにより撮像された映像データとの録画を連携するための通信相手としての特定のウェアラブルカメラを導出する。
【選択図】図１３【図１】
0005856701.tif 000002
【図２】
0005856701.tif 000003
【図３】
0005856701.tif 000004
【図４】
0005856701.tif 000005
【図５】
0005856701.tif 000006
【図６】
0005856701.tif 000007
【図７】
0005856701.tif 000008
【図８】
0005856701.tif 000009
【図９】
0005856701.tif 000010
【図１０】
0005856701.tif 000011
【図１１】
0005856701.tif 000012
【図１２】
0005856701.tif 000013
【図１３】
0005856701.tif 000014
【図１４】
0005856701.tif 000015
【図１５】
0005856701.tif 000016
【図１６】
0005856701.tif 000017
【図１７】
0005856701.tif 000018
【図１８】
0005856701.tif 000019